【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
自動分析装置であって、一次サンプル容器において、該自動分析装置に提供されたサンプルを受け取り、分析するように構成され、該自動分析装置は、
ａ）複数のサンプル保持槽を受け取るように構成されたサンプル保持ユニットと、
ｂ）輸送装置であって、該輸送装置は、第１のサンプルを含む第１の一次サンプル容器を受け取ることと、該複数のサンプル保持槽のうちの１つとして、該第１の一次サンプル容器を該サンプル保持ユニットに送達することとを行うように構成されている、輸送装置と、
ｃ）第２の一次サンプル容器から第２のサンプルを受け取ることと、該第２のサンプルを該複数のサンプル保持槽のうちの１つの中に送達することとを行うように構成された吸引装置と
を備える、自動分析装置。
【請求項２】
サンプル提出ユニットと移送ステーションとをさらに備え、該サンプル提出ユニットは、前記一次サンプル容器を受け取ることと、該一次サンプル容器を該移送ステーションに自動的に送達することとを行うように構成され、前記輸送装置は、該移送ステーションにおいて該一次サンプル容器を受け取るように構成され、そして、前記吸引装置は、該移送ステーションにおいて該一次サンプル容器からサンプルを受け取るように構成されている、請求項１に記載の自動分析装置。
【請求項３】
前記輸送装置は、第１の輸送装置であって、前記自動分析装置は、前記移送ステーションから分離され、そして、該第１の輸送装置から一次サンプル容器を受け取るように構成されている第２の輸送装置をさらに備える、請求項２に記載の自動分析装置。
【請求項４】
前記輸送装置は、第１の輸送装置であって、前記自動分析装置は、サンプル保持槽を前記実験器具に送達するように構成されている第２の輸送装置をさらに備える、請求項１に記載の自動分析装置。
【請求項５】
前記輸送装置は、第１の輸送装置であって、前記自動分析装置は、一次サンプル容器を該第１の輸送装置に送達するように構成されている第２の輸送装置をさらに備える、請求項１に記載の自動分析装置。
【請求項６】
前記第２の輸送装置は、前記自動分析装置とは分離して収容される実験器具から一次サンプル容器を受け取るように構成されている、請求項５に記載の自動分析装置。
【請求項７】
前記第２の輸送装置は、前記自動分析装置とは分離して収容される前記実験器具に、一次サンプル容器を送達するようにさらに構成されている、請求項６に記載の自動分析装置。
【請求項８】
前記自動分析装置とは分離して収容される前記実験器具は、閉管分注装置を備える、請求項６に記載の自動分析装置。
【請求項９】
前記サンプル保持槽内の前記サンプルを分析するように構成された分析ユニットをさらに備える、請求項１に記載の自動分析装置。
【請求項１０】
前記一次サンプル容器は、血液採取管を備える、請求項１に記載の自動分析装置。
【請求項１１】
空のサンプル保持槽を前記サンプル保持ユニットに提供するように構成された槽供給器をさらに備える、請求項１に記載の自動分析装置。
【請求項１２】
閉管分注装置をさらに備え、該閉管分注装置は、閉鎖された一次サンプル容器から第３のサンプルを受け取ることと、該第３のサンプルを前記複数のサンプル保持槽のうちの１つの中に送達することとを行うように構成されるピペット装置を含む、請求項１に記載の自動分析装置。
【請求項１３】
前記吸引装置は、閉管分注装置の一部として提供される、請求項１に記載の自動分析装置。
【請求項１４】
分析のためのサンプルを調製する方法であって、該方法は、
ａ）複数のサンプル保持槽を受け取るように構成されるサンプル保持ユニットを含む自動分析装置に、複数の一次サンプル容器を装填することであって、該複数の一次サンプル容器のそれぞれはサンプルを含む、ことと、
ｂ）該サンプル保持ユニットの中に、該複数の一次サンプル容器の第１の一次サンプル容器を移送することと、
ｃ）該複数の一次サンプル容器の第２の一次サンプル容器から、該サンプル保持ユニット内の該複数のサンプル保持槽のうちの少なくとも１つの中に、該サンプルを分注することと、
ｄ）該第１の一次サンプル容器内の該サンプルと、該第２の一次サンプル容器から分注された該サンプルとを処理することと
を含む、方法。
【請求項１５】
前記第１の一次サンプル容器内の前記サンプルを処理するステップは、該第１の一次サンプル容器内の該サンプルの部分標本を除去するステップを含む、請求項１４に記載の方法。
【請求項１６】
前記複数の一次サンプル容器を前記自動分析装置に装填するステップは、該複数の一次サンプル容器をサンプル提出ユニットに手動で装填することと、該複数の一次サンプル容器を該自動分析装置内の移送ステーションに自動的に送達することとを含む、請求項１４に記載の方法。
【請求項１７】
前記複数の一次サンプル容器を装填するステップは、前記自動分析装置とは分離して収容される実験器具から、該複数の一次サンプル容器の少なくともいくつかを受け取ることを含む、請求項１４に記載の方法。
【請求項１８】
前記実験器具は、閉管分注装置を備える、請求項１７に記載の方法。
【請求項１９】
複数の一次サンプル容器を前記自動分析装置に装填するステップは、該自動分析装置から前記閉管分注装置に、該複数の一次サンプル容器の第３の一次サンプル容器を送達することと、該閉管分注装置から該複数の一次サンプル容器の少なくともいくつかを受け取ることとを含み、該複数の一次サンプル容器の少なくともいくつかは、それぞれ、該第３の一次サンプル容器内の前記サンプルの部分標本を備える、請求項１８に記載の方法。
【手続補正２】
【補正対象書類名】明細書
【補正対象項目名】００２０
【補正方法】変更
【補正の内容】
【００２０】
他と同様、上述の特徴および利点は、以下の最良の形態および添付図面を参照にすることにより、当業者により容易に理解されるであろう。
例えば、本発明は以下の項目を提供する。
（項目１）
自動分析装置であって、一次サンプル容器内の、該自動分析装置に提供されるサンプルを受け取り、分析するように構成され、
ａ）複数のサンプル保持槽を受け取るように構成されるサンプル保持ユニットと、
ｂ）該複数のサンプル保持槽のうちの１つとして、第１のサンプルを含有する第１の一次サンプル容器を受け取り、該第１の一次サンプル容器を該サンプル保持ユニットに送達するように構成される輸送装置と、
ｃ）第２の一次サンプル容器から第２のサンプルを受け取り、該第２のサンプルを該複数のサンプル保持槽のうちの１つの中に送達するように構成される吸引装置と
を備える、自動分析装置。
（項目２）
サンプル提出ユニットと移送ステーションとをさらに備え、該サンプル提出ユニットは、上記一次サンプル容器を受け取り、該一次サンプル容器を該移送ステーションに自動的に送達するように構成され、上記輸送装置は、該移送ステーションにおいて該一次サンプル容器を受け取るように構成され、そして、上記吸引装置は、該移送ステーションにおいて該一次サンプル容器からサンプルを受け取るように構成される、項目１に記載の自動分析装置。
（項目３）
上記輸送装置は、第１の輸送装置であって、上記自動分析装置は、上記移送ステーションから分離され、そして、該第１の輸送装置から一次サンプル容器を受け取るように構成される第２の輸送装置をさらに備える、項目２に記載の自動分析装置。
（項目４）
上記第２の輸送は、上記自動分析装置の後方部分に提供され、上記移送ステーションは、上記自動分析装置の前方部分に提供される、項目３に記載の自動分析装置。
（項目５）
上記輸送装置は、第１の輸送装置であって、上記自動分析装置は、サンプル保持槽を上記実験器具に送達するように構成される、第２の輸送装置をさらに備える、項目１に記載の自動分析装置。
（項目６）
上記輸送装置は、第１の輸送装置であって、上記自動分析装置は、一次サンプル容器を該第１の輸送装置に送達するように構成される第２の輸送装置をさらに備える、項目１に記載の自動分析装置。
（項目７）
上記第２の輸送装置は、上記自動分析装置とは分離して収容される実験器具から一次サンプル容器を受け取るように構成される、項目６に記載の自動分析装置。
（項目８）
上記第２の輸送装置は、上記自動分析装置とは分離して収容される上記実験器具に、一次サンプル容器を送達するようにさらに構成される、項目７に記載の自動分析装置。
（項目９）
上記自動分析装置とは分離して収容される上記実験器具は、閉管分注装置を備える、項目７に記載の自動分析装置。
（項目１０）
上記輸送装置および上記吸引装置は、該吸引装置を支持する第１のキャリッジと、該輸送装置を支持する第２のキャリッジとを含む、二重ガントリロボットの一部として提供される、項目１に記載の自動分析装置。
（項目１１）
上記第１のキャリッジおよび上記第２のキャリッジは、両方とも、水平支持棒に平行な軌道に沿って移動するように構成される、項目１０に記載の自動分析装置。
（項目１２）
上記輸送装置は、上記第１の一次サンプル容器を把持するように構成される掴み具アセンブリを含む取放装置を備える、項目１に記載の自動分析装置。
（項目１３）
上記サンプル保持槽内の上記サンプルを分析するように構成される分析ユニットをさらに備える、項目１に記載の自動分析装置。
（項目１４）
上記分析ユニットは、試薬を上記サンプルと混合するように構成される複数の試薬ピペット採取ステーションを備え、該サンプルは、該試薬と混合される前に反応槽に移送される、項目１３に記載の自動分析装置。
（項目１５）
上記一次サンプル容器は、血液採取管を備える、項目１に記載の自動分析装置。
（項目１６）
空のサンプル保持槽を上記サンプル保持ユニットに提供するように構成される槽供給器をさらに備える、項目１に記載の自動分析装置。
（項目１７）
閉鎖された一次サンプル容器から第３のサンプルを受け取り、該第３のサンプルを上記複数のサンプル保持槽の１つの中に送達するように構成されるピペット装置を含む、閉管分注装置をさらに備える、項目１に記載の自動分析装置。
（項目１８）
上記吸引装置は、閉管分注装置の一部として提供される、項目１に記載の自動分析装置。
（項目１９）
上記吸引装置は、ピペットとピペット先端とを備える、項目１に記載の自動分析装置。
（項目２０）
上記サンプル保持ユニットは、サンプル貯蔵ユニットを備える、項目１に記載の自動分析装置。
（項目２１）
上記サンプル保持ユニットは、上記サンプル保持槽内の上記サンプルを分析するように構成される分析ユニットを備える、項目１に記載の自動分析装置。
（項目２２）
分析のためにサンプルを調製する方法であって、
ａ）複数のサンプル保持槽を受け取るように構成されるサンプル保持ユニットを含む自動分析装置に、複数の一次サンプル容器を装填することであって、該複数の一次サンプル容器のそれぞれはサンプルを含有する、ことと、
ｂ）該複数のサンプル保持槽のうちの１つとして、該サンプル保持ユニットの中に、該複数の一次サンプル容器の第１の一次サンプル容器を移送することと、
ｃ）該複数の一次サンプル容器の第２の一次サンプル容器から、該サンプル保持ユニット内の該複数のサンプル保持槽のうちの少なくとも１つの中に、該サンプルを移送することと、
ｄ）該第１の一次サンプル容器内の該サンプルと、該第２の一次サンプル容器から移送される該サンプルとを分析することと
を含む、方法。
（項目２３）
上記第１の一次サンプル容器内の上記サンプルを分析する上記ステップは、上記部分標本の分析を実施する前に、上記第１の一次サンプル容器内の部分標本を除去するステップを含む、項目２２に記載の方法。
（項目２４）
上記第２の一次サンプル容器から上記サンプルを移送する上記ステップは、上記サンプルの多数の部分標本を、等しい数の上記複数のサンプル保持槽に配置するステップを含む、項目２２に記載の方法。
（項目２５）
上記第１の一次サンプル容器を移送する上記ステップ、および上記第２の一次サンプル容器から上記サンプルを移送する上記ステップは、移送ステーションにおいて実行される、項目２２に記載の方法。
（項目２６）
上記複数の一次サンプル容器を上記自動分析装置に装填する上記ステップは、該複数の一次サンプル容器をサンプル提出ユニットに手動で装填することと、該複数の一次サンプル容器を該自動分析装置内の移送ステーションに自動的に送達することとを含む、項目２２に記載の方法。
（項目２７）
上記複数の一次サンプル容器を装填する上記ステップは、上記自動分析装置とは分離して収容される実験器具から、該複数の一次サンプル容器の少なくともいくつかを受け取ることを含む、項目２２に記載の方法。
（項目２８）
上記実験器具は、閉管分注装置を備える、項目２７に記載の方法。
（項目２９）
複数の一次サンプル容器を上記自動分析装置に装填する上記ステップは、該自動分析装置から上記閉管分注装置に、該複数の一次サンプル容器の第３の一次サンプル容器を送達することと、該閉管分注装置から該複数の一次サンプル容器の少なくともいくつかを受け取ることとを含み、該複数の一次サンプル容器の少なくともいくつかのそれぞれは、該第３の一次サンプル容器内の上記サンプルの部分標本を備える、項目２８に記載の方法。
（項目３０）
自動分析装置であって、
ａ）複数の一次サンプル容器を該自動分析装置に装填するように構成されるサンプル提出ユニットであって、該複数の一次サンプル容器のそれぞれはサンプルを含有する、サンプル提出ユニットと、
ｂ）該サンプルを分析するように構成される分析ユニットと、
ｃ）該複数の一次サンプル容器の第１から複数のサンプル保持槽のうちの少なくとも１つに、該サンプルを移送するように構成される吸引装置と、
ｄ）該複数の一次サンプル容器の第２を該分析ユニットに輸送するように構成される輸送装置であって、該複数の一次サンプル容器の該第２内の該サンプルが、該分析ユニットによって分析されてもよい、輸送装置と
を備える、装置。
（項目３１）
上記輸送装置は、上記複数のサンプル保持槽の少なくとも１つを上記分析装置に輸送するようにさらに構成されて、該複数のサンプル保持槽の該少なくとも１つの中の上記サンプルが、上記分析ユニットによって分析されてもよい、項目３０に記載の自動分析装置。
（項目３２）
自動分析装置であって、
ａ）複数の一次サンプル容器を該自動分析装置の中に装填するように構成されるサンプル提出ユニットであって、該複数の一次サンプル容器のそれぞれは、サンプルを含有する、サンプル提出ユニットと、
ｂ）該サンプルを分析するように構成される分析ユニットと、
ｃ）該複数の一次サンプル容器の第１から複数のサンプル保持槽のうちの少なくとも１つに、該サンプルを移送する手段と、
ｄ）該複数の一次サンプル容器の第２を該分析ユニットに移送する手段であって、該複数の一次サンプル容器の該第２内の該サンプルが、該分析ユニットによって分析されてもよい、手段と
を備える、装置。
（項目３３）
上記移送する手段は、また、上記複数のサンプル保持槽の上記少なくとも１つを上記分析装置に移送するように構成されて、該複数のサンプル保持槽の該少なくとも１つの該サンプルが、該分析ユニットによって分析されてもよい、項目３２に記載の自動分析装置。